(57)【特許請求の範囲】
【請求項１】
焼付補修材を収納した焼失性コンテナバッグと、このコンテナバッグを抱持した焼失性硬質円筒よりなる焼付補修材の梱包体。
【請求項２】
焼失性硬質円筒の上方および／または下方が開放されている請求項１記載の焼付補修材の梱包体。
【請求項３】
コンテナバッグに吊り紐を設けた請求項１または２記載の焼付補修材の梱包体。
【請求項４】
請求項１、２または３記載の焼付補修材の梱包体を、炉壁面上を転動して被補修部に到達させる溶融金属容器の熱間補修方法。
【発明の詳細な説明】
【０００１】
【産業上の利用分野】
本発明は、溶融金属容器の熱間補修に使用される焼付補修材の梱包体およびこれを用いた補修方法に関するものである。
【０００２】
【従来の技術】
従来、転炉、ＡＯＤ炉、電気炉、ＬＦ鍋などの溶融金属容器の熱間補修材として、焼付補修材が知られている（特開昭６１−１８３１７６号公報など）。
焼付補修材は、溶融金属容器内に投入されると容器の残熱を受け、結合剤の軟化によって流動化し、内張りの被補修部に充填された後、結合剤の炭化あるいは硬化により焼き付けられる。この焼付補修材は不定形耐火物であるため、バッグに入れて搬送され、容器内への投入もバッグに入れた状態で行われる。バッグは残熱で焼失し、補修材の焼付けの障害にならない。
【０００３】
【発明が解決しようとする課題】
しかし、焼付け補修は熱間での作業のため、焼付補修材を被補修部に正確に投入することは容易でない。被補修部から外れた位置に投入すると直ちにバックが焼失し、被補修部に到達することなくその場に焼き付けられる。
また、焼付補修材は、搬送や補修作業の効率を上げるために一バッグあたりの量を多くすると、その分、安全面からバッグの強度を大きくしなければならない。しかし、バッグは強度を大きくすると自ずと厚さが増し、容器内へ投入後、残熱を受けても容易に焼失せず、焼付補修材の軟化による充填がなされないまま硬化する。
【０００４】
【課題を解決するための手段】
本発明は、焼付補修における上記従来の問題を解決したものである。
本発明は、焼付補修材を収納した焼失性コンテナバッグと、このコンテナバッグを抱持した焼失性硬質円筒よりなる焼付補修材の梱包体である。また、この焼付補修材の梱包体を、炉壁面上を転動して被補修部に到達させる溶融金属容器の熱間補修方法である。
【０００５】
【作用】
本発明によれば、焼付補修材の自重による迫り圧でコンテナバッグとそれを抱持した硬質円筒とが強固に一体化し、コンテナバッグは特に厚手のものを用いなくても硬質円筒によって梱包体全体として十分な強度を備える。これにより、例えば積み重ねての保管あるいは移送が可能など、取扱いの便宜上あるいは作業安全上きわめて好ましい。
【０００６】
また、硬質円筒によって外形が円柱状をなしていることから、内張り補修時において、容器の壁面上を転動によって被補修部の凹部に到達させることができる。例えば、転炉などは横倒させた状態で補修が行われるが、炉を立て直す際の傾動を利用すれば、焼付補修材の梱包体は外力を加えなくても転動し、自ずと被損傷部の凹部に到達する。
【０００７】
この転動の際に梱包体は高温の壁面と接触するが、本発明の焼付補修材の梱包体は硬質円筒によって耐熱保護され、円柱形状を保った状態で被損傷部に到達する。そして、焼付補修材の梱包体は被補修部に到達すると残熱を受けて硬質円筒およびコンテナバッグが焼失すると共に、焼付補修材が軟化による流動によって被補修部に充填後、焼付けられる。
【０００８】
溶融金属容器の残熱は一般に１０００℃前後の高温のため、硬質円筒はその厚さにかかわらず焼失するが、厚さが大き過ぎると焼失が遅れる。その場合は、硬質円筒の上部および／または下部を開放部しておけば、焼付補修材はその開放部から軟化流出し、硬質円筒の焼失が遅れても焼付補修材が流出しないまま硬化することはない。
【０００９】
【実施例】
図に基づいて本発明の実施例を説明する。図１およびは図２は、本発明実施例による焼付補修材の梱包体であって、図１は斜視図、図２は正面断面図である。図１および図２の焼付補修材の梱包体（１）において、コンテナバッグ（２）への焼付補修材（３）の収納は、コンテナバッグ（２）を焼失性硬質円筒（４）に入れた状態で行うのが好ましい。
【００１０】
収納した焼付補修材（３）の自重による迫り圧によってコンテナバッグ（２）と焼失性硬質円筒（４）とは強固に一体化するので、移送の際には、例えばコンテナバッグ（２）に取り付けた吊り紐（５）による吊り下げで行ってもよい。
焼付補修材（３）の材質は、従来の焼付補修材と特に変わらない。すなわち、耐火性骨材に対し、タール、合成樹脂、ケイ酸塩、リン酸塩などの結合剤を添加したものである。結合剤の割合は焼付材全体に対する内掛けで例えば５〜５０ｗｔ％とし、この範囲内で結合剤の種類、残熱温度などを考慮して決定する。
【００１１】
結合剤は、その熱軟化で焼付補修材を流動化して被補修部に充填させた後、炭化あるいは硬化することで焼付補修材を被補修部に焼付ける効果をもつ。
タールの具体例は、ピッチ、アスファルトなどである。合成樹脂の具体例はフェノール樹脂、フラン樹脂、エポキシ樹脂、メラミン樹脂、尿素樹脂、キシレン樹脂である。これらのタールまたは合成樹脂は、必要により、溶剤を添加して使用してもよい。ケイ酸塩はメタケイ酸ナトリウム−９水塩、リン酸塩はリン酸水素２ナトリウム１２水塩などの結晶水を含むものである。
【００１２】
焼付補修材（３）に使用する耐火骨材は、例えばアルミナ、シリカ、アルミナ−シリカ、マグネシア、カルシア、マグネシア−カルシア、スピネル、ジルコン、ジルコニア、炭素、炭化珪素、窒化物、クロムなどの耐火材から選ばれる一種または二種以上を主材とする。中でも、耐食性に優れたマグネシア、カルシア、マグネシア−カルシアなどの塩基性が好ましい。また、これらを主材とした炉材使用後品を骨材の一部または全部を用いてもよい。その粒度は、密充填組織が得られるように、粗粒、中粒、微粒に調整する。キレツ防止などを目的として、一部を粒径３０ｍｍ前後の粗大粒子にしてもよい。
【００１３】
この焼付補修材（３）には、さらに硬化促進剤、硬化遅延剤、焼結剤、金属粉、酸化防止剤、分散剤、有機質ファイバー、無機質ファイバー、金属質ファイバーなどを添加してもよい。
焼付補修材（３）を収納するコンテナバッグ（２）の材質は従来材質と特に変わりなく、例えば通常の市販品のポリプロピレン製、塩化ビニール製、合成・天然ゴム製、布製などの軟質かつ可撓性を有するものとする。厚さは、例えば０．５ｍｍ以下である。
【００１４】
焼失性硬質円筒（４）は紙、プラスチックなどの易燃性とする。経済性の面から紙製が好ましい。その寸法は、内蔵する焼付補修材の量に合わせて、例えば内径３００〜１２００ｍｍ、高さ４００〜１５００ｍｍとする。厚さは、耐熱性と保形能を付与させるために、例えば２〜１５ｍｍ、好ましく３〜６ｍｍである。
焼失性硬質円筒（４）は、例えば水平断面が四角形のものであっても、可撓性によって、収納した焼付補修材の迫り圧で円筒形状になるものであれば、最初から円筒形状のでなくてもよい。
【００１５】
焼失性硬質円筒（４）の上部および下部は覆ってもよいが、図のように開放した場合は、硬質円筒（４）の焼失が遅れても焼付補修材（３）はその開放部から早期に流出させることができる。また、硬質円筒（４）の上部および下部は覆う場合は、厚さを薄くするなどによって容易に焼失する材質で行うのが好ましい。
図３は、本発明の焼付補修材の梱包体（１）を用いた溶融金属容器の熱間補修方法を模式的に示したもである。
【００１６】
Ａ図のとおり、焼付補修材の梱包体（１）はシュート（７）などを介して溶融金属容器（６）の上方開口部から壁面上に投入する。ついで、押し棒による外力あるいは壁面の傾斜を利用して転動させ、被補修部に到達させる。この場合、溶融金属容器（６）が転炉、取鍋などのように傾動可能な場合、Ｂ図のとおり、容器の立て直し際の傾倒を利用すると、焼付補修材の梱包体（１）は被補修部である凹部に自ずから到達する。
【００１７】
つぎに、本発明実施例による焼付補修材の梱包体およびこれを用いた熱間補修方法の実機試験を示す。
厚さ５ｍｍ×内径８００ｍｍ×高さ１０００ｍｍの紙管よりなる焼失性硬質円筒に厚さ０．３ｍｍのポリプロピレン製コンテナバッグを収納し、次いでこのコンテナバッグに焼結マグネシアクリンカー８０ｗｔ％、ピッチ２０ｗｔ％よりなる焼付補修材を１ｔ内臓させ、焼付補修材の梱包体を得た。焼付補修材は不定形耐火物であるが、硬質円筒の補強によって積み重ねが可能となり、保管あるいは移送に好都合であった。
【００１８】
また、転炉の熱間補修において、横傾させた転炉の側壁に前記の焼付補修材の梱包体をシュートで投下し、側壁の傾斜面を利用して側壁下部の被補修部に焼付補修材の梱包体を到達させた。炉壁の残熱は１２００〜１４００℃であり、焼付補修材は被補修部に到達後、コンテナバッグの焼失によって梱包体内の硬質円筒から軟化流出すると共に、硬質円筒も焼失した。そして、焼付補修材はピッチの炭化で被補修部に焼付けられ、炉内張りの補修を行うことができた。
【００１９】
【効果】
本発明による効果を列挙すれば以下のとおりである。
▲１▼焼付補修材の自重による迫り圧でコンテナバッグとそれを抱持した硬質円筒とが強固に一体化し、しかも硬質円筒によって梱包体全体として十分な強度を備えたことで、例えば積み重ねての保管あるいは移送が可能など、取扱いの便宜上あるいは作業安全上きわめて好ましい。
▲２▼焼付補修材が硬質円筒によって外形が円柱状をなしていることから、内張り補修時において、壁面上を転動して被補修部に到達させることができる。例えば転炉、取鍋などの傾動可能な溶融金属容器では、容器を立て直す際の傾動を利用すれば、焼付補修材の梱包体は外力を加えなくても転動し、自ずと非補修部に到達する。
【００２０】
▲３▼壁面上を転動の際に梱包体は高温の壁面と接触するが、焼付補修材の梱包体は硬質円筒によって耐熱保護され、円柱形状を保つことで、転動によって被補修部に到達させることができる。
▲４▼硬質円筒の上部および／または下部を開放しておくと、硬質円筒の焼失が遅れる場合でも、焼付補修材をこの開放部から早期に流出させることができる。
【図面の簡単な説明】
【図１】本発明実施例の焼付補修材の梱包体の斜視図。
【図２】本発明実施例の焼付補修材の梱包体の断面図。
【図３】本発明の焼付補修材の梱包体を用いた溶融金属容器の熱間補修方法を示す。
【符号の説明】
１  焼付補修材の梱包体
２  コンテナバッグ
３  焼付補修材
４  焼失性硬質円筒
５  吊り紐
６  溶融金属容器
７  シュート
【図１】
0003606954.tif 000002
【図２】
0003606954.tif 000003
【図３】
0003606954.tif 000004